(57)【特許請求の範囲】
【請求項１】
支持要素に矢板を接続して、支持要素と、それぞれ、２つの支持要素間に設置される矢板とから成る組合わせ隔壁を組立てるための長尺の連結体であって、当該連結体は中央横材ストリップを有し、中央横材ストリップは、それぞれ、開口部を備えた２つの対向する接続部分を相互に分けており、一方の接続部分は支持要素のための取付け部分として構成され、他方の接続部分は接続すべき矢板をロックする収容部分として構成され、取付け部分（１８；５４）は、中央横材ストリップ（１６；５２）と、中央横材ストリップ（１６；５２）の一方の縁から９０°の角度で分岐する第１直線状開口部ストリップ（２６、６２）と、中央横材ストリップ（１６；５２）の他方の縁から分岐して第１直線状開口部ストリップ（２６；６２）の方向へ曲げられる第２開口部ストリップ（２８；６０）とにより限定され、収容部分（２４；５６）は、中央横材ストリップ（１６；５２）と、中央横材ストリップ（１６；５２）の一方の縁から９０°の角度で分岐する第３直線状開口部ストリップ（３６；６８）と、中央横材ストリップ（１６；５２）の他方の縁から最初に９０°の角度で分岐し、それから、湾曲して延びる第４開口部ストリップ（３８；７０）とにより限定され、第４開口部ストリップは、その端部が対向する第３直線状開口部ストリップ（３６、６８）へ向かって延びていることを特徴とする連結体。
【請求項２】
支持要素に矢板を接続して、支持要素と、それぞれ、２つの支持要素間に設置される矢板とから成る組合わせ隔壁を組立てるための長尺の連結体であって、当該連結体は中央横材ストリップを有し、中央横材ストリップは、それぞれ、開口部を備えた２つの対向する接続部分を相互に分けおり、一方の接続部分は支持要素のための取付け部分として構成され、他方の接続部分は接続すべき矢板をロックする収容部分として構成され、取付け部分（１８′；５４′）は、中央横材ストリップ（１６；５２）と、中央横材ストリップ（１６、５２）の一方の縁から９０°の角度で分岐する第１直線状開口部ストリップ（２６′）と、中央横材ストリップ（１６；５２）の他方の縁から９０°の角度で分岐する第２開口部ストリップ（２８′）とにより限定され、収容部分（２４；５６）は、中央横材ストリップ（１６；５２）と、中央横材ストリップ（１６；５２）の一方の縁から９０°の角度で分岐する第３直線状開口部ストリップ（３６；６８）と、中央横材ストリップ（１６；５２）の他方の縁から最初に９０°の角度で分岐し、それから、湾曲して延びる第４開口部ストリップ（３８；７０）とにより限定され、第４開口部ストリップは、その端部が対向する第３直線状開口部ストリップ（３６、６８）へ向かって延びていることを特徴とする連結体。
【請求項３】
支持要素に矢板を接続して、支持要素と、それぞれ、２つの支持要素間に設置される矢板とから成る組合わせ隔壁を組立てるための長尺の連結体であって、当該連結体は中央横材ストリップを有し、中央横材ストリップは、それぞれ、開口部分を備えた２つの対向する接続部分を相互に分けており、一方の接続部分は支持要素のための取付け部分として構成され、他方の接続部分は接続すべき矢板をロックする収容部分として構成され、取付け部分（１８″；５４″）は、ほぼ蟻溝形状の断面内形（３２′）を持ち、断面内形は中央横材ストリップ（１６；５２）と、２つの鏡対称で相互に向き合って延び、中央横材ストリップ（１６；５２）の両方の縁から分岐して曲げられる開口部ストリップ（２６″、２８″）とにより限定され、収容部分（２４；５６）は、中央横材ストリップ（１６；５２）と、中央横材ストリップ（１６；５２）の一方の縁から９０°の角度で分岐する第３直線状開口部ストリップ（３６；６８）と、中央横材ストリップ（１６；５２）の他方の縁から最初に９０°の角度で分岐し、それから、湾曲して延びる第４開口部ストリップ（３８；７０）とにより限定され、第４開口部ストリップは、その端部が対向する第３直線状開口部ストリップ（３６、６８）へ向かって延びていることを特徴とする連結体。
【請求項４】
収容部分（２４；５６）の断面内形は、長軸線（ａ；ｄ）と短軸線（ｂ；ｅ）とを持つ楕円（４４；７６）の形状となることを特徴とする請求項１、請求項２または請求項３に記載の連結体。
【請求項５】
楕円（４４）の長軸線（ａ）は中央横材ストリップ（１６）の中心線（ｃ）に対して２５°と４０°の間の角度を成すことを特徴とする請求項４に記載の連結体。
【請求項６】
楕円（４４）の長軸線（ａ）は中央横材ストリップ（１６）の中心線（ｃ）に対して３０°の角度を成すことを特徴とする請求項４に記載の連結体。
【請求項７】
収容部分（２４）は矢板（１４）の爪部分（１２）を掛けるために役立ち、楕円（４４）の長軸線（ａ）と短軸線（ｂ）との比率は１１：９と１１：１０との間の範囲にあることを特徴とする請求項４から請求項６のいずれか一項に記載の連結体。
【請求項８】
収容部分（２４）は矢板（１４）の頭部分（５８）を掛けるために役立ち、楕円（７６）の長軸線（ｄ）と短軸線（ｅ）との比率は約４：３の範囲にあることを特徴とする請求項４から請求項６のいずれか一項に記載の連結体。
【請求項９】
収容部分（２４）の開口部ストリップ（３６、３８）は、開口（４４）を持つ開口部（４２）を限定し、両方の開口部ストリップ（３６、３８）の端部に接する接線面（Ｔ）は楕円（４４）の長軸線（ａ）と平行に延びる請求項１から請求項８のいずれか一項に記載の連結体。
【請求項１０】
収容部分（２４）の開口（４２）を通る中心線は、楕円（４４）の長軸線（ａ）とほぼ直角に延びることを特徴とする請求項９に記載の連結体。
【請求項１１】
開口を通る中心線は楕円（４４）の短軸線（ｂ）の延長であることを特徴とする請求項１０に記載の連結体。
【発明の詳細な説明】
【技術分野】
【０００１】
本発明は、支持要素、特に、ダブルＴ型支持要素（Ｈ型鋼）に矢板を接続する長尺の連結体に関するものであり、その連結体は中央横材ストリップを有し、中央横材ストリップは、それぞれ、開口部を備えた２つの対向する接続部分を相互に分けており、一方の接続部分が支持要素のための取付け部分として構成され、他方の接続部分が接続すべき矢板をロックする収容部分として構成される。
【背景技術】
【０００２】
この種の連結体は、例えば、組合わせ隔壁、すなわち、一般的に、それぞれ矢板対であるそれぞれの多数の矢板間で使用される支持要素列から成る隔壁の組立てに役立つ。この種の連結体は、例えば、下記の特許文献から周知である。
【特許文献１】ドイツ国実用新案２０１２１７１２号公報
【特許文献２】ドイツ国特許公開１９７１１２４２号公報
【特許文献３】ドイツ国特許公開１９８２２０６３号公報
【特許文献４】ドイツ国特許公開１９９２３４９２号公報
【０００３】
これらの連結体は、いくつかの例では、それぞれ、開口部を備えた２つの対向する接続部分を相互に分けており、それぞれの両方の接続部分の形状部分を形成する中央横材ストリップを有する。他の接続部分は、接続すべき矢板をロックし、例えば、矢板の両方の縦縁に配置される、いわゆるラルセンフックのための収容部分である。
【０００４】
広範囲に度々、使用される矢板は断面がＺ形状で、その一方の縦縁に頭部分を持ち、他方の縦縁に爪部分を持つヘッシュ（ＨＯＥＳＣＨ）のＺ型矢板である。爪部分は、直線状爪フランジと、固有形状のフックで爪鼻と対向する爪親指とを有し、これらの両方は開口を持つ開口部を限定し、開口部内には、接続すべきＺ型矢板の断面形状がほぼ台形の頭部分を取付けることができる。隔壁の特性からフックをロックするために爪部分とＺ型矢板の頭部分はフック範囲で直角に湾曲され、連続して当たる隔壁フランジは直線を形成し、両方の矢板のフック連結部は隔壁フランジの範囲から突出しない。
【０００５】
この種のＺ型矢板の並列により安定した隔壁を組立てることができる。爪部分と頭部分の幾何学形状により、もちろん、隣接する矢板間で比較的にわずかな±７°の揺動角度が可能であり、そのため地面の不均一な場合の矢板の低い打ち込みでは、連結部からフック部分が弾んで外れることになる。
【０００６】
地中が岩石地層、標石等により非常に不均一であれば、例えば、この矢板の低い打ち込みの場合、隣接する支持要素間の揺動が地中で生じ、支持要素は低い打ち込みでは、その縦軸線を中心に旋回される。
【０００７】
しかしながら、例えば、円弧または別の閉塞構造を構成する組合わせ隔壁、または、明らかに角がある組合わせ隔壁を追加の構造要素なしに達成するために、隣接する支持要素間の揺動も考えなければならない。
例えば、港湾設備の建造に必要である支持要素と矢板とから成る組合わせ隔壁は、今日まで、この種のＺ型矢板により建造されていない。隔壁の確実な低い打ち込みを許容する支持要素の対応する接続形状体は存在しない。
【発明の開示】
【発明が解決しようとする課題】
【０００８】
本発明は、組合わせ隔壁を達成するため、この種のＺ型矢板を収容部分に掛けることができる連結体を提供することを課題とする。
【課題を解決するための手段】
【０００９】
本発明によると、上記の課題は請求項１に記載の特徴部分により解決される。さらに、上記の課題は請求項２に記載の特徴部分を持つ連結体並びに請求項３に記載の特徴部分を持つ連結体により解決される。
【００１０】
全ての３つの本発明による連結体において一致して構成され、本発明にとって特別に本質的なものと見なされる収容部分が、独立請求項１、２、３で定義される３つの連結体に共通する。３つの従属請求項で定義される連結体は、連結体を支持要素に固定する取付け部分の構成においてだけ相違する。
【００１１】
請求項１で定義される連結体では、支持要素のための取付け部分は、中央横材ストリップと、中央横材ストリップの一方の縁から９０°の角度で分岐する第１直線状開口部ストリップと、中央横材ストリップの他方の縁から分岐し、第１直線状開口部ストリップの方向へ曲げられる第２開口部ストリップとにより限定される。取付け部分の断面内形は、ほぼ台形であり、台形の底辺は中央横材ストリップにより形成される。一方の底辺角度は特に９０°であり、他方の底辺角度は特に４５°より大きい。
【００１２】
これに対して、請求項２で定義される連結体では、取付け部分は、中央横材ストリップと、中央横材ストリップの一方の縁から９０°の角度で分岐する第１直線状開口部ストリップと、同様に、中央横材ストリップの他方の縁から９０°の角度で分岐する第２開口部ストリップとにより形成される。そのように構成された取付け部分により、連結体は支持要素に固定でき、連結体のための固定部分は、断面がほぼ正方形である。
【００１３】
請求項３による連結体では、取付け部分は、さらに、断面が、ほぼ蟻溝形状の断面内形を有し、断面内形は中央横材ストリップと、中央横材ストリップの両縁から分岐し、鏡対称で連続して向き合って延び、曲げられる開口部ストリップとにより限定される。断面が蟻溝形状の断面内形により、連結体は支持要素に固定でき、固定部分は断面外形がキー形状であり、例えば、丸い突出支持要素である。断面内形の蟻溝形状の構成により、収容部分の開口部を持つ連結体は、支持要素から延び、または、支持要素に向けられてキー形状の固定部分に固定でき、このため、異なって構成される取付け部分を持つ連結体を準備する必要はない。両方の開口部ストリップは中央横材ストリップのフランジ側に関して、特に、約３０°乃至５０°の範囲の傾斜角度で延び、その際、傾斜角度は特に３５°である。
【００１４】
３つの本発明による連結体に共通する収容部分は、全ての３つの連結体において一致して構成され、中央横材ストリップと、中央横材ストリップの一方の縁から９０°の角度で分岐する直線状開口ストリップと、中央横材ストリップの他方の縁から最初に９０°の角度で分岐し、それから、大きく湾曲して延びる第４開口部ストリップとにより限定され、第４開口部ストリップは、その端部が対向する第３直線状開口部ストリップの端部に向かって延びている。
【００１５】
接続すべき矢板の爪部分または頭部分のための収容部分の本発明による構成により、爪部分または頭部分は、収容部分内の広い範囲で揺動できる。それで、頭部分のための収容部分の構成では、取付けられる矢板の可能な揺動角度は約＋２３°から−４５°までに達し、全体の揺動角度は約７０°となる。接続すべき矢板の爪部分のための収容部分のため、揺動角度は約＋２７°から−４０°までに達し、同様に揺動範囲は約７０°となる。
【００１６】
２つの隣接するダブルＴ型支持要素間の組合わせ隔壁内に２枚のＺ型矢板が、本発明による連結体により取付けられると、支持要素、例えば、ダブルＴ型支持要素は８０°以上の角度まで相互に旋回でき、組合わせ隔壁の内部でストレスが生じない。追加の連結体がなく、連結される２枚の矢板間の揺動角度が２つの支持要素間の中間で、なお、わずかな程度であることを考慮すると、２つの隣接する支持要素間で約９０°の角度を達成できることが分かる。このようにして、組合わせ隔壁は８つの角を設けることができ、または、円形または類似形状に接続される組合わせ隔壁を達成できる。
【００１７】
この大きい揺動角度のために、支持要素および矢板の低い打ち込みの場合に生じる動きは全方向で補正できる。
【００１８】
３つの本発明による連結の収容部分は、本発明によると、隔壁の個々の要素は確実に低く打ち込むことができ、目標値からの隔壁のずれは、広範囲に調整でき、組合わせ隔壁内部で、隣接する支持要素、特に、ダブルＴ型支持要素間で高い揺動角度が可能となるように構成される。
【００１９】
請求項１、請求項２、請求項３で定義されるような本発明による連結体の別の有利な改良は、次の詳細な説明、図面並びに従属請求項において明らかである。
【発明を実施するための最良の形態】
【００２０】
連結体の特別に有利な本発明の実施例では、接続すべき矢板の収容部分の断面内形は実質的に傾斜した楕円形状である。収容部分の少なくともほぼ楕円形状に延びる断面内形により、フックは所定の揺動範囲の内部において収容部分内で両方向に揺動でき、湾曲して延びる開口部ストリップは収容部分からのフックの飛び出しを防止する。しかしながら、この際、収容部分の断面内形は、上記楕円形状に限定されない。楕円形状は単に寸法のための基準点だけを与えるものでなくてはならない。楕円の長軸線または主軸線は中央横材ストリップに対して特に約３０°の角度を成す。
【００２１】
矢板の爪部分の接続のため収容部分が使用される場合、楕円の短軸線または副軸線に対する楕円の長軸線の比率は、特に１．１と１．２との間にある。
【００２２】
それに対して、収容部分が頭部分を掛けるために使用されると、同様に、収容部分は傾斜する楕円になり、この楕円の主軸線は特に中央横材ストリップに対して約３０°の角度を成す。しかしながら、ここでは、長軸線と短軸線との間の比率は１．２と１．６の間である。
【００２３】
接続すべき矢板の爪部分のための収容部分の開口部は、その中心が楕円の短軸線のほぼ延長にある。接続すべき矢板の頭部分のための収容部分の開口の中心は、楕円の長軸線に対してほぼ直角に延びる点線上にあり、この点線は、楕円の中点と中央横材ストリップに向く楕円の長軸線間の交点との間で楕円の長軸線を切る。ここで、点線はこれらの両方の点の間のほぼ中間にある。
【００２４】
開口の幅は、それぞれの楕円の長軸線の長さの約１／３の範囲にある。両方の異なる楕円の内室からの出口配置は、接続すべきＺ型矢板の直角のフック連結の位置によって決まる。
【実施例１】
【００２５】
添付図面に参照して本発明の複数の実施例を詳細に説明する。図１および図２において、Ｚ型矢板１４（図２を参照）の爪部分１２のための連結体１０の第１実施例の端面が平面図で示される。ここで、連結体１０は一様な断面形状を持つ長尺物として構成され、連結体１０によって連結される矢板の長さに一致する長さを有する。以下の説明において、連結体の各部をストリップと称するが、それは連結体が矢板の長さに一致する長さを有するので、各部も矢板の長さに一致する長さを有するためである。
【００２６】
連結体１０は、中央に、実質的に一直線に延びる中央横材ストリップ１６を有し、その一方の側にはダブルＴ型支持要素２２の頭部分２０が嵌め込まれるための取付け部分１８が配置され、その他方の側にはＺ型矢板１４の爪部分１２を収容する収容部分２４が配置される。
【００２７】
取付け部分１８は、中央横材ストリップ１６の図１において上方で示される縁から９０°の角度で分岐する第１直線状開口部ストリップ２６と、中央横材ストリップ１６の図１において下方で示される縁から出て、第１直線状開口部ストリップ２６の方向に湾曲した第２開口部ストリップ２８とを有する。両方の開口部ストリップ２６、２８は中央横材ストリップ１６と平行に延びる（仮想）平面Ｅで終わり、中央横材ストリップと共にほぼ台形状の断面内形３２を持つ開口部３０を囲む。この台形状断面内形３２はダブルＴ型支持要素２２の頭部分２０の断面外形３４に適合し、ダブルＴ型支持要素２２の頭部は、わずかな隙間をもって取付け部分１８内に収容できる。
【００２８】
収容部分２４は、湾曲した開口部ストリップ２８に接続しており、中央横材ストリップ１６からほぼ９０°の角度で分岐した実質的に直線状の第３開口部ストリップ３６と、取付け部分１８の直線状開口部ストリップ２６に接続しており、大きく湾曲して延びる第４開口ストリップ３８とを有する。開口部ストリップ３６、３８は、中央横材ストリップ１６と共に、開口部ストリップ３６、３８の端部で限定される開口４２を持つ開口部４０を限定する。開口部４０の断面内形は、ほぼ、長軸軸線ａと短軸線ｂとを持つ点線で図示する楕円４４に沿って延びる。長軸線ａは中央横材ストリップ１６の点線で表される中心線ｃと、ほぼ３０°の鋭角度を成す。長軸線ａと短軸線ｂとの間の軸線の比率は１１：９と１１：１０の間の範囲にある。短軸線ｂの延長部は、ほぼ、開口４２の中心を通って延びる。開口部ストリップ３６、３８は、その際、両方の開口部ストリップ３６、３８に接する（仮想）接線面Ｔが楕円４４の長軸線ａと平行に延びるように延びる。
【００２９】
図２において、連結体１０とＺ型矢板１４の爪部分１２とダブルＴ型支持要素２２のアームとの連結が示され、Ｚ型矢板１４は、その中間位置と最大揺動位置で図示される。ここで、「上方」揺動位置は点線で図示され、他方、「下方」揺動位置は鎖線で図示される。通常位置と上方揺動位置との間の揺動角度αは、ほぼ４０°に達し、通常位置と下方揺動位置との間の揺動角度βは、ほぼ２７°に達する。
【００３０】
図３、図４では、図１、図２で示される連結体の変更例が示される。
【００３１】
図３で示される変更例の連結体１０′は、連結体１０とは、取付け部分１８′の構成だけが異なる。この取付け部分１８′では、両方の開口部ストリップ２６′、２８′は中央横材ストリップ１６′の平面側に関してほぼ９０°の角度で延び、ほぼ正方形の断面内形３２′が形成される。そのように構成された取付け部分１８′は、固定部分の断面外形が正方形に構成されている支持要素に取付けられる。
【００３２】
図４で示される変更例の連結体１０″でも、連結体１０とは、取付け部分１８″だけが異なる。この変更例では、両方の開口部ストリップ２６″、２８″は、それぞれ、ほぼ３５°の角度で連続して向き合って延び、取付け部分１８″は、断面内形３２″がほぼ蟻溝形状である。取付け部分１８″の蟻溝形状の構成により、連結体１０″は、ダブルＴ型支持要素２２の頭部分２０を、収容部分２４の開口４２により内方に向けて固定できるか、又は、鎖線の図示により示されるように外方に向けて固定できる。
【実施例２】
【００３３】
図５、図６で示される本発明による連結体５０の第２実施例は、実質的に連結体１０と類似して構成され、中央横材ストリップ５２と、ダブルＴ型支持要素２２の頭部分２０を収容する収容部分５４と、Ｚ型矢板１４の頭部分５８を収容する収容部分５６とを有する（図６を参照）。開口部６４の開口ストリップ６０、６２並びに取付け部分５４の開口６６の寸法が連結体１０の対応部分の寸法と同一であるように連結体５０は構成されている。
【００３４】
中央横材ストリップ５２の取付け部分５４と反対側には、Ｚ型矢板１４の頭部分５８のための収容部分５６が構成される。収容部分５６は、開口ストリップ６２に接続する直線状開口部ストリップ６８により限定され、直線状開口部ストリップは、図５に示す平面形状が下向きに面取りされている。最初に対向する開口部ストリップ７０は、開口ストリップ６０の継続部としてほぼ９０°の角度で中央部材ストリップ５２から分岐し、それから、比較的に鋭い湾曲をなし、この開口ストリップ７０の端部は直線状開口部ストリップ６８に向かっている。
【００３５】
それにより、中央横材ストリップ５２、開口部ストリップ６８、７０とにより、開口７４を持つ開口部７２が限定される。ここで、また、開口部７２の断面内形は、長軸線ｄと短軸線ｅを持つ楕円７６により説明でき、図示するように、開口７０の端部範囲が短軸線ｅに向けてずれており、この端部自体も中央横材ストリップ５２に向けてずれている。さらに長軸線ｄは中央横材ストリップ５２に対して３０°と４０°の間の角度で傾斜している。短軸線ｅと平行に開口７４の中央を通って延びる平行線Ｐは、楕円７６の中心点と直線状開口部ストリップ６８の縁との間に延びている。長軸線ｄと短軸線ｅとの間の軸線の比率は、ほぼ４：３である。
【００３６】
この収容部分５６に接する接線面Ｔは、楕円７６の長軸線と実質的に平行に開口部ストリップ６８、７０に接する。
【００３７】
図６において、ダブルＴ型支持要素２２の頭部ストリップ２０とＺ型矢板１４の頭部分５８との連結体５０の連結が図示され、さらに、中間位置と、揺動角度γでの「上方」揺動位置と揺動角度δでの「下方」揺動位置とを持つ最大揺動位置が鎖線で図示される。最大揺動角度γは約２３°であり、最大揺動角度δは約４５°である。
【００３８】
図７、図８では、連結５０の２つの変更例が示される。これら両変更例の連結体５０′、５０″では、取付け部分５４′、５４″は、前述した両変更例の連結体１０′、１０″の取付け部分１８′、１８″と同一に構成される。両変更例の連結体５０′、５０″の収容部分５６は、連結体５０の収容部分５６と一致する。
【００３９】
図９において、２つの隣接するダブルＴ型支持要素２２と、これらの支持要素間で配置されるＺ型矢板１４とを持つ組合わせ隔壁８０の一部分が図示される。図９の左に図示される第１のダブルＴ型支持要素２２の頭部ストリップ２０のあるアーム上には、連結体５０が取付けられ、連結体内には第１のＺ型矢板１４の頭部ストリップ５８が収容される。図９の右に図示される第２のダブルＴ型支持要素２２は、第１のダブルＴ型支持要素２２に対して約６０°の角度をなしており（旋回されており）、第１のダブルＴ型支持要素２２に向くアームには連結体１０が設けられ、連結体内には第２のＺ型矢板１４の爪部分１２が収容される。ダブルＴ型支持要素２２の間の中間において、両方のＺ型矢板１４は従来のように相互に固定され、図９で右のＺ型矢板１４の頭部分５８は図９の左に図示されるＺ型矢板１４の爪部分１２に食い込む。
【００４０】
Ｚ型矢板１４と連結体１０、５０との間で上記の最大揺動角度が利用され、同じく、頭部分５８と、これと係合するＺ型矢板１４の爪部分１２との間の約±７°のわずかな揺動角度が利用されても、両方のダブルＴ型支持要素２２の間の角度は８５°までにできる。
【００４１】
これは、閉塞形状であったり、湾曲したり、又は鋭い角がある組合わせ隔壁を達成することだけに利用されるものではない。隣接するダブルＴ型支持要素２２の間の個々のダブルＴ型支持要素２２の低い打ち込みにおいて、間隔が変化するか、ダブルＴ型支持要素２２が相互に旋回しなければならなくても、この種の動きは連結体１０、５０の構成により調整できる。
【図面の簡単な説明】
【００４２】
【図１】断面内形が台形形状の取付け部分と、接続すべきＺ型矢板の爪部分のための収容部分とを備えた本発明による連結体の第１実施例の端面図を示す。
【図２】ダブルＴ型支持要素に取付けられ、接続すべきＺ型矢板の爪部分に掛けられる図１による連結体の平面図を示し、接続すべきＺ型矢板の可能な揺動角度が図示される。
【図３】支持要素のための取付け部分の断面内形が正方形である図１、図２で示される連結体の第１変更例の平面図を示す。
【図４】支持要素のための取付け部分の断面内形が蟻溝形状である図１、図２で示される連結体の第２変更例の平面図を示す。
【図５】断面内形が台形形状の取付け部分と、接続すべきＺ型矢板の頭部分のための収容部分とを備えた本発明による連結体の第２実施例の端面図を示す。
【図６】支持要素に取付けられ、接続すべきＺ型矢板の頭部分を収容する図５による連結体の端面図を示し、同様に接続すべきＺ型矢板の可能な揺動角度が図示される。
【図７】支持要素のための取付け部分の断面内形が正方形である図５、図６で示される連結体の第１変更例の平面図を示す。
【図８】支持要素のための取付け部分の断面内形が蟻溝形状である図５、図６で示される連結体の第２変更例の平面図を示す。
【図９】２つの支持要素と、これらの支持要素間に嵌められる矢板を備えた組合わせ隔壁の一部分の端面図を示し、図１、図５の両方で示される連結体を使用する。
【符号の説明】
【００４３】
１０、１０′、１０″    連結体  
１２                    爪部分
１４                    Ｚ型矢板
１６                    中央横材ストリップ
１８、１８′、１８″    取付け部分
２０                    頭部ストリップ
２２                    ダブルＴ型支持要素
２４                    収容部分
２６、２６′、２６″    第１開口部ストリップ
２８、２８′、２８″    第２開口部ストリップ
Ｅ                      平面
３０                    開口部
３２、３２′、３２″    断面内形
３４                    断面外形
３６                    第３開口部ストリップ
３８                    第４開口部ストリップ
４０                    開口部
４２                    開口
４４                    楕円
ａ                      長軸線
ｂ                      短軸線
ｃ                      中心線
Ｔ                      接線面
５０、５０′、５０″    連結体
５２                    中央横材ストリップ
５４、５４′、５４″    取付け部分
５６                    収容部分
５８                    頭部分
６０                    開口部ストリップ
６２                    開口部ストリップ
６４                    開口部
６６                    開口
６８                    直線状開口部ストリップ
７０                    湾曲開口部ストリップ
７２                    開口部
７４                    開口
７６                    楕円
ｄ                      長軸線
ｅ                      短軸線
Ｐ                      並列ストリップ
Ｔ                      接線面
【図１】
0004708077.tif 000002
【図２】
0004708077.tif 000003
【図３】
0004708077.tif 000004
【図４】
0004708077.tif 000005
【図５】
0004708077.tif 000006
【図６】
0004708077.tif 000007
【図７】
0004708077.tif 000008
【図８】
0004708077.tif 000009
【図９】
0004708077.tif 000010